(57)【要約】【課題】バグフィルタ用ろ布の巻取りを円滑に行うことができ、巻取ったろ布を簡単かつ安全に巻取り装置から取り外して回収する。【解決手段】ケーシング３２と、このケーシング３２内に配置されて回転する回転板４０と、この回転板４０にその一端が固定されてケーシング３２内に片持ち状で横方向に張り出した複数本の棒部材４２と、これらの棒部材４２の自由端側に対応するケーシング面に設けられた開閉扉４６とを具備する。ケーシング３２には内部を負圧に維持するホース５４が接続されている。開閉扉４６は透明板で形成され、開閉扉４６にはケーシング３２の外部からケーシング３２内の手作業を行うことが可能な作業手袋５２が配設されている。【選択図】        図１
2005046695.tif 000002
【特許請求の範囲】
【請求項１】
バグフィルタからろ布を巻取りながら回収するための巻取り装置であって、ケーシングと、このケーシング内に配置されて回転する回転部材と、この回転部材にその一端が固定されて前記ケーシング内に片持ち状で横方向に張り出した複数本の棒部材と、これらの棒部材の自由端側に対応するケーシング面に設けられた開閉扉とを具備したことを特徴とするバグフィルタ用ろ布の巻取り装置。
【請求項２】
前記ケーシング内を負圧に維持する手段が設けられたことを特徴とする請求項１に記載のバグフィルタ用ろ布の巻取り装置。
【請求項３】
前記複数本の棒部材は３本以上であり、一箇所以上は棒部材間の距離がろ布上端の外径よりも小さくなるように配置されていることを特徴とする請求項１又は請求項２に記載のバグフィルタ用ろ布の巻取り装置。
【請求項４】
前記開閉扉が透明板で形成され、この開閉扉にはケーシングの外部からケーシング内の手作業を行うことが可能な作業手袋が配設されていることを特徴とする請求項１、請求項２又は請求項３に記載のバグフィルタ用ろ布の巻取り装置。
【発明の詳細な説明】
【０００１】
【発明の属する技術分野】
本発明はバグフィルタ用ろ布の巻取り装置に係り、特に吊下げ式のろ布で構成したバグフィルタのろ布を回収する際に好適なバグフィルタ用ろ布の巻取り装置に関する。
【０００２】
【従来の技術】
バグフィルタは含塵ガス中の塵埃を捕集する集塵装置として旧来から周知である。図１０はこの種のバグフィルタの概念図である。本体１の上部に配置されたセルプレート２に多数本の筒状のろ布３が吊下げられており、セルプレート２を境として、下方が集塵エリア４、上方が処理ガスエリア５とされる。集塵エリア４の下部はホッパ６とされ、ホッパ６の下端にはダスト排出手段７が設けられている。また、ホッパ６には含塵ガスの流入ダクト８が接続し、処理ガスエリア５には処理ガスの排出ダクト９が接続している。各ろ布３の上端開口部にはベンチュリ１０が配設されており、管路１１からの逆洗空気がベンチュリ１０を介して、ろ布３内に供給可能とされている。
【０００３】
流入ダクト８から集塵エリア４内に流入した含塵ガスはろ布３を通過する過程でろ過される。ろ過後の処理ガスは処理ガスエリア５を経て排出ダクト９から外に排出される。ろ過を継続するとろ布３の外面に塵埃が捕集され蓄積し、ろ布の通気抵抗が次第に増加する。そこで、適当な頻度で高圧な逆洗空気を管路１１からベンチュリ１０を介して各ろ布３内に供給し、ろ布３を逆洗する。この逆洗によって、ろ布３外面の塵埃が払い落とされ、ろ布３の通気抵抗が低下し、ろ布３はろ過性能を回復する。ろ布３から払い落とされた塵埃は自重落下し、ダスト排出手段７によって装置外へ搬送される。
【０００４】
ろ布３は本体部がフェルトなどによって形成されて可撓性を有しており、潰れ易い。したがって、使用時には図１１に示したように形状保持部材であるリテーナ１２を上部開口から挿入して、ろ布３の円筒形状を保持している。ろ布３の上端１４には補強材が縫い込んであり、上端１４はある程度の剛性を有してセルプレート２に係合し、吊下げられる。
【０００５】
バグフィルタを長時間運転すると、ろ布３は劣化及び目詰まり等の理由で集塵効率が次第に低下してくる。このため、バグフィルタの定期的な補修の折にろ布３を回収して、新品のろ布に更新することが行われている。従来、ろ布３の回収作業は主に人力で行われている。例えば特許文献１に記載された方法では、作業員がセルプレート２上に乗り、ろ布３を集塵エリア４の側に落下させ、ホッパ６の底部から引抜くようにしている。しかしながら、このような方法は作業員がろ布３と直接に接触する機会が多い。このため、作業員は回収作業中にろ布３から飛散した塵埃を多量に吸い込む可能性があり、衛生管理上好ましくないという問題点があった。特にごみ焼却炉に使用されるバグフィルタでは塵埃中にダイオキシンが高濃度に含まれている場合があり、危険度が大きくなる。また、この種のバグフィルタに使われるろ布は直径が１２〜１８ｃｍ程度であり、長さが４〜８ｍ程度の長大な形状である。このため、回収したろ布を運搬や処理処分する場合にも、その取り扱いが厄介であるという問題点があった。
【０００６】
このような問題点を解決するために、本出願人は特願２００２−３７９９２０号によって、衛生管理を良好に行うことができる、ろ布回収方法及び装置を提案した。この方法はバグフィルタのセルプレート上で作業員の衛生管理を維持しつつ、ろ布をコンパクトに巻取ることができ、回収したろ布の運搬や処理処分も容易になる。
【０００７】
【特許文献１】特開平６−３３５６１２号公報
【０００８】
【発明が解決しようとする課題】
しかしながら、本出願人が巻取り装置を試作して、ろ布の巻取りを行ったとこる、いくつかの問題点があることが判明した。第１の問題点は巻取ったろ布を巻取り装置から取り外すことにかなりの手間と時間を要し、作業員とろ布との直接接触も多くなるという点であった。第２の問題点は巻取ったろ布の取り出し時に付着していた塵埃が巻き上がり、周囲の作業環境を悪化させるという点であった。第３の問題点はろ布にはある程度の剛性があり、いわゆる‘ごわごわ’した状態であるため、巻取り操作を円滑に行うことが難しいという点であった。
【０００９】
本発明の目的は巻取り装置の問題点を改善し、巻取り操作を円滑に行うことができ、操作中に周囲の作業環境を悪化させず、巻取ったろ布を簡単かつ安全に巻取り装置から取り外すことができるバグフィルタ用ろ布の巻取り装置を提供することにある。
【００１０】
【課題を解決するための手段】
上記の目的を達成するために、本発明に係るバグフィルタ用ろ布の巻取り装置は、バグフィルタからろ布を巻取りながら回収するための巻取り装置であって、ケーシングと、このケーシング内に配置されて回転する回転部材と、この回転部材にその一端が固定されて前記ケーシング内に片持ち状で横方向に張り出した複数本の棒部材と、これらの棒部材の自由端側に対応するケーシング面に設けられた開閉扉とを具備したことを特徴とする。
【００１１】
本発明は上記の構成において、前記ケーシング内を負圧に維持する手段が設けられたことが好ましい。また、前記複数本の棒部材は３本以上であり、一箇所以上は棒部材間の距離がろ布上端の外径よりも小さくなるように配置されていることが好ましい。また、前記開閉扉が透明板で形成され、この開閉扉にはケーシングの外部からケーシング内の手作業を行うことが可能な作業手袋が配設されていることが好ましい。
【００１２】
【作用】
本発明のろ布の巻取り装置は、回転部材と一体的に回転する複数本の棒部材が片持ち状で横方向に張り出しているので、開閉扉を開いて巻取ったろ布を棒部材の自由端側から簡単に引き抜くことができる。また、巻取ったろ布を引き抜く前に回収袋でろ布を包み込む作業を開閉扉側から容易に行うことができる。このため、巻取ったろ布と直接に接触することなく、ろ布を巻取り装置から取り外しできる。また、ろ布の巻取り時は開閉扉を閉めてケーシング内を密閉状態にできるので塵埃が外部に飛散しない。このため、巻取り時に周囲の作業環境を悪化させない。この巻取り時にケーシング内を負圧に維持すると、より一層、周囲環境の保全を図ることができる。
【００１３】
さらに、棒部材が複数本（好ましくは３本以上）配設されているので、ろ布の上端を棒部材間で挟み込むことが容易となる。したがって、複数本の棒部材のうち、少なくとも一箇所の棒部材間の距離がろ布上端の外径よりも小さくされていることが好ましく、この位置にろ布の上端を挟み込むと安定した巻取り操作を行うことができる。また、開閉扉を透明板とし、この開閉扉に作業手袋を配設すれば、ケーシング内の状況を開閉扉から目視によって確認することができる。また、ろ布の巻取り状況が不調な時には、開閉扉を閉めたままで、作業員が作業手袋に手と腕を入れて、補助操作を実施することができる。
【００１４】
【発明の実施の形態】
図１は本発明に係るバグフィルタ用ろ布の巻取り装置の実施形態を示す側断面図である。バグフィルタのセルプレート２０には多数のろ布２２が吊下げられている。巻取り装置３０はこれらのろ布２２を一本づつ巻取り後、取り外して、順繰りに移動させて使用する。図１は多数のろ布２２の内、左側２本のろ布２２Ｂはすでに回収済みであり、右側２本のろ布２２Ｃは未回収であり、中央のろ布２２Ａを回収するために巻取りの準備が完了した状況を示している。
【００１５】
巻取り装置３０は直方体状のケーシング３２を有し、底面が開放されている。
ケーシング３２の右側面３４にはブラケット３６が設けられ、このブラケット３６上に減速機（図示せず）付きのモータ３８が固定、載置されている。モータ３８の回転軸が右側面３４を貫通して、ケーシング３２内の回転板４０に連結している。図２に示したように４本の棒部材４２が、その一端を回転板４０に固定されてケーシング３２内に片持ち状態で横方向に張り出している。各棒部材４２は回転板４０の中心から等距離に、かつ９０度づつ間隔をあけて配されており、隣接する棒部材４２間の距離はろ布２２の外径よりも小さくなるように配置されている。このため、ろ布２２の上端を棒部材４２間に挟み込むと安定した巻取り操作を行うことができる。
【００１６】
これらの棒部材４２の自由端側に対応するケーシング３２の左側面４４には開閉扉４６が設けられている。すなわち、開閉扉４６の上端がケーシング３２の天井面４８と蝶番５０によって接続し、開閉扉４６は二点鎖線で示したように上下方向に開閉可能とされている。開閉扉４６の下部には作業手袋５２がケーシング３２内にぶら下がるように設けられている。また、ケーシング３２の天井面４８にはホース５４が接続している。このホース５４は図示しない真空式の集塵機に接続されている。ケーシング３２を構成する四周側面及び天井面の少なくとも一部を透明板で形成することが好ましい。これらの面を透明にすることによって、ろ布巻取り状況をいろいろの角度から観察することができる。特に開閉扉４６は後述するように巻取ったろ布の抜出し口であり、かつ、作業手袋５２を利用する作業員の対応面であるので透明板で形成する。図３はケーシング３２の内、開閉扉４６を設けた側面、その左右の側面４７Ａ，４７Ｂ及び天井面４８を透明板で形成した場合の斜視図である。
【００１７】
次に、ろ布２２の巻取り操作について説明する。まず、図１に示したように巻取り装置３０をセルプレート２０で目的ろ布２２Ａの直上位置に移動させる。この際、セルプレート２０上にはすでに回収済みのろ布２２Ｂの跡に取付孔５６が開口している。また、未回収のろ布２２Ｃの上端が開口している。したがって、このような開口をそのままの状態にして巻取り装置３０を目的位置に移動させると、これらの開口がケーシング３２内と連通して、ケーシング３２の気密性が大きく損なわれる。したがって、巻取り装置３０の移動位置に抵触する取付孔５６やろ布２２Ｃの上端開口には、予め蓋５８を施しておき、ケーシング３２の気密性を確保する。
【００１８】
次に、開閉扉４６を開き、作業員が目的ろ布２２Ａの上端を引き上げる。そして、図４に示したようにろ布２２Ａ上端を２本の棒部材４２間に挿入し引っ掛ける。前記したように隣接する棒部材４２間の距離はろ布２２上端の外径よりも小さくなるように配置されている。このため、ろ布２２Ａの上端を棒部材４２間に挟み込むと安定した巻取り操作を行うことができる。このろ布２２Ａ上端の引っ掛け作業が終了すると、開閉扉４６を閉じる。次いで、モータ３８を駆動し回転板４０を介して棒部材４２を矢印Ｒの一定方向に回転させ、ろ布２２Ａの巻き上げ操作を開始する。すると、ろ布２２Ａは複数の棒部材４２に巻き付けられながら、最終姿として図５に示したような形状で巻き取られる。
【００１９】
図５の状態で回転板４０の回転を停止し、開閉扉４６を開く。次に、開閉扉４６の開口から作業員が回収袋６０をケーシング３２内に矢印Ａ方向に差し入れ、図６に示したように、巻取ったろ布２２Ａを回収袋６０で包み込む。次いで、図７に示したように、ろ布２２Ａを包んだ回収袋６０を矢印Ｂ方向に棒部材４２の自由端側から引き出し、ケーシング３２外に取り出す。以上でろ布２２Ａに対する一連の回収作業が終了する。このように本実施形態の巻取り装置３０は、回転板４０と一体的に回転する複数本の棒部材４２が片持ち状で横方向に張り出しているので、開閉扉４６を開いて巻取ったろ布を棒部材４２の自由端側から簡単に引き抜くことができる。
【００２０】
なお、この回収作業においては、ホース５４に接続された図示しない真空式の集塵機を常時稼動しておき、ケーシング３２内を負圧に維持する。すると、回収作業の過程でケーシング３２内に飛散、浮遊した塵埃は集塵機によって吸い込まれる。このため、塵埃がケーシング３２の外部に漏れ出ることを防ぐことができ、作業環境の改善に寄与する。また、図３に示したようにケーシング３２の内、開閉扉４６と、その左右の側面４７Ａ，４７Ｂ及び天井面４８を透明板で形成すると、ろ布の巻取り状況をいろいろの角度から観察することができる。したがって、例えばろ布２２Ａの巻取りの途中で不調が発生した場合でもケーシング３２の外部から容易に発見でき、必要な措置を敏速に講じることができる。また、少なくとも開閉扉４６を透明板とし、この開閉扉４６に作業手袋５２を配設すれば、ろ布の巻取り状況が不調な時には、開閉扉４６を閉めたままで、作業員が作業手袋５２に腕を入れて、補助操作を実施することができる。
【００２１】
図１において、ろ布２２Ａの回収を終えると、次に、巻取り装置３０を未回収のろ布２２Ｃの方に移動させ、上記と同様の要領でろ布２２Ｃを巻取り、回収する。この際、蓋５８を被せる位置を回収対象とするろ布に合わせて適宜、選択していく。
【００２２】
棒部材４２の本数は４本に限らず、図８に示したように好ましくは３〜７本の間で選択する。図８の（イ）は棒部材が外周側に３本の場合、（ロ）は中心に１本、外周側に４本の合計５本の場合、（ハ）は外周側に５本の場合、（ニ）は中心に１本、外周側に６本の合計７本の場合である。試作結果によれば外周側の棒部材の本数を多くすると、ろ布の巻取り姿が円形に近づき、巻き上げを円滑に行うことができる。また、（ロ）や（ニ）のように中心に棒部材を配すると、ろ布２２の上端が３本以上の棒部材４２によって安定した状態で引っ掛かる。このため、ろ布２２の上端が棒部材４２から脱落し難く、安定した巻き上げを行うことができる。棒部材４２の本数を２本だけにした場合には、ろ布２２の上端の棒部材４２に対する引っ掛かり具合が不安定となり、棒部材４２から脱落し易くなる。また、棒部材４２の本数が少ない場合には、ろ布巻き上げ時の締付け力が大きくなる傾向があり、巻取ったろ布２２を棒部材４２の自由端から引き抜くのに手間がかかる。また、棒部材４２の本数を８本以上にすると、棒部材４２間の距離が小さくなり、却ってろ布２２の上端を棒部材４２に引っ掛け難くなる。
【００２３】
本発明に係る棒部材は断面が円形に限定されず、三角、四角、半円でもよく、断面がＬ字状の山形部材であってもよい。また、図９に示したように断面が円弧状の部材４２Ａであり、この部材４２Ａを同一円周上に配置した構成としてもよい。さらに、本発明に係る回転部材は回転円板に限らず、回転可能でかつ複数本の棒部材の一端を固定して、棒部材を片持ち状に支持できるものであればいかなる形状であってもよい。また、回転部材を回転させる駆動機構はモータに限らず、例えば手回し式のハンドルであってもよい。
【００２４】
【発明の効果】
本発明のろ布の巻取り装置は、回転部材と一体的に回転する複数本の棒部材が片持ち状で横方向に張り出しているので、巻取ったろ布を棒部材の自由端側から簡単に引き抜くことができる。また、巻取ったろ布を引き抜く前に回収袋でろ布を包み込む作業を開閉扉側から容易に行うことができる。このため、巻取ったろ布と直接に接触することなく、ろ布を巻取り装置から取り外しできる。また、ろ布の巻取り時は開閉扉を閉めてケーシング内を密閉状態にできるので塵埃が外部に漏洩しにくい。このため、巻取り時に周囲の作業環境を悪化させない。また、ケーシング内を負圧に維持すると、より一層、周囲環境の保全を図ることができる。
【００２５】
さらに、棒部材が複数本、配設されているので、ろ布の上端を棒部材間で挟み込むことが容易となる。複数本の棒部材のうち、少なくとも一箇所の棒部材間の距離がろ布上端の外径よりも小さくされていることが好ましく、この位置にろ布の上端を挟み込むと安定した巻取り操作を行うことができる。また、開閉扉を透明板とし、この開閉扉に作業手袋を配設すれば、ケーシング内の状況を開閉扉から目視によって確認することができる。また、ろ布の巻取り状況が不調な時には、開閉扉を閉めたままで、作業員が作業手袋に手と腕を入れて、補助操作を実施することができる。
【図面の簡単な説明】
【図１】本発明に係るバグフィルタ用ろ布の巻取り装置の実施形態を示す側断面図である。
【図２】棒部材の取り付け状態を示す要部斜視図である。
【図３】ケーシングの内部を示す斜視図である。
【図４】ろ布上端を棒部材間に引っ掛けた状況を示す斜視図である。
【図５】巻取ったろ布の状態を示す斜視図である。
【図６】巻取ったろ布を回収袋で包み込んだ状態を示す斜視図である。
【図７】巻取ったろ布を回収する状況を示す斜視図である。
【図８】棒部材の本数を変化させた例を示す要部正面図である。
【図９】棒部材の変形例を示す要部正面図である。
【図１０】バグフィルタの概念図である。
【図１１】ろ布の詳細構造を示す断面図である。
【符号の説明】
２２，２２Ａ，２２Ｂ，２２Ｃ………ろ布、３０………巻取り装置、３２………ケーシング、３８………モータ、４０………回転板、４２………棒部材、４６………開閉扉、５２………作業手袋、５４………ホース、５８………蓋、６０………回収袋。
【図１】
2005046695.tif 000003
【図２】
2005046695.tif 000004
【図３】
2005046695.tif 000005
【図４】
2005046695.tif 000006
【図５】
2005046695.tif 000007
【図６】
2005046695.tif 000008
【図７】
2005046695.tif 000009
【図８】
2005046695.tif 000010
【図９】
2005046695.tif 000011
【図１０】
2005046695.tif 000012
【図１１】
2005046695.tif 000013